(57)【特許請求の範囲】
【請求項１】
小出しに内容物を取り出せる取出口を有し軟合成樹脂からなる携帯用容器において、
前記取出口は前記携帯用容器の外周縁の一縁に一対の唇片からなる唇部を形成してなり、
前記軟合成樹脂は、前記取出口の幅方向内向きに外力を加えると前記一対の唇片同士の境界部分であって前記取出口の幅方向両端に位置する口角部の各々が相互に他の口角部に近づいて前記取出口を開くとともに、その一方で、前記外力を解除すると前記口角部の各々が相互に他の口角部から離れて前記取出口を自然に閉じる程の弾性を有し、
前記一対の唇片のうち、一方の唇片はその長手方向に沿ってかつ間隔をおいて形成した複数の凸部を有し、他方の唇片は前記複数の凸部と嵌合する凹部を有することを特徴とする携帯用容器。
【発明の詳細な説明】
【０００１】
【産業上の利用分野】
本発明は携帯用容器に関し、詳しくは錠剤、顆粒、粉体等の内容物を収容し、かつこれら内容物を小出しに取り出せる携帯用容器に関する。
【０００２】
【従来の技術】
携帯用容器には様々なものがある。例えば実公平５−３９０９１や実開平５−５４３５１号公報は、携帯用容器から一定量の内容物を取り出すのに携帯用容器に取り付けた特定のレバーの操作で内容物を取り出し易いようにした技術を示している。
【０００３】
しかし、前記レバーを備えた携帯用容器では、そこから内容物を取り出すのには便利かもしれないが、内容物が余分に出てしまった場合には、前記レバーが邪魔になって内容物を元に戻せないことがある。
【０００４】
また、携帯用容器の中味を携帯用容器の外からでも見えるように、携帯用容器の全部または一部を透明材料で作ることがある。しかし、この場合には、携帯用容器の内容物が紫外線を受けると変色や変質を起こす虞れがあるので、これを防止する必要がある。
【０００５】
携帯用容器を透明な合成樹脂で作った場合、携帯用容器に入れて有る内容物を紫外線から保護するために、化学合成物質のベンゾフェノン系、ベンゾトリアゾール系等の紫外線カット剤を透明な合成樹脂に添加するのが普通である。しかし、このような物質は、合成樹脂から溶出し、内容物に付着して、これを変質または／および変色等させる虞れがあった。
【０００６】
【発明が解決しようとする課題】
本発明の携帯用容器は、このような点に鑑み発明したものであって、携帯用容器の内容物を携帯用容器から取り出すのが簡単で、しかも、内容物を携帯用容器から余分に出してしまった場合でも、その余分な量を簡単に携帯用容器に戻すことができ、さらには携帯用容器を透明材料で作っても、前記内容物への紫外線による悪影響を防止することを技術的課題とする。
【０００７】
【課題を解決するための手段】
前記課題を解決するために、本発明の携帯用容器は、以下の構成とした。
すなわち、小出しに内容物を取り出せる取出口を有し軟合成樹脂からなる携帯用容器において、前記取出口は前記携帯用容器の外周縁の一縁に一対の唇片からなる唇部を形成してなり、前記軟合成樹脂は、前記取出口の幅方向内向きに外力を加えると前記一対の唇片同士の境界部分であって前記取出口の幅方向両端に位置する口角部の各々が相互に他の口角部に近づいて前記取出口を開くとともに、その一方で、前記外力を解除すると前記口角部の各々が相互に他の口角部から離れて前記取出口を自然に閉じる程の弾性を有し、前記一対の唇片のうち、一方の唇片はその長手方向に沿ってかつ間隔をおいて形成した複数の凸部を有し、他方の唇片は前記複数の凸部と嵌合する凹部を有することを特徴とする。
【０００８】
ここで、軟合成樹脂としては、例えば低密度ポリエチレン，エラストマー，低密度ポリエチレンにゴムを配合したもの等が挙げられる。
また、前記軟合成樹脂に紫外線カット剤として、酸化アルミニュウム被覆酸化チタン・ベンガラ焼結物を配合すると好適である。
【０００９】
本発明の携帯用容器では、これに用いる材質が、軟合成樹脂からなるとともに、携帯用容器の取出口は、前記携帯用容器の外周縁の一縁に一対の唇片からなる唇部を形成してなり、前記軟合成樹脂は、前記取出口の幅方向内向きに外力を加えると前記一対の唇片同士の境界部分であって前記取出口の幅方向両端に位置する口角部の各々が相互に他の口角部に近づいて前記取出口を開くとともに、その一方で、前記外力を解除すると前記口角部の各々が相互に他の口角部から離れて前記取出口を自然に閉じる程の弾性を有しているので、取出口の幅方向内向きに外力を加えるだけ唇部を構成する一対の唇片同士が相互に他の唇片から離れ、これによって取出口を開く。また、取出口を開くに当たって加えていた外力を解除するだけで唇部を構成する一対の唇片同士が相互に他の唇片に近づいて、その結果、取出口を閉じる。よって、前記携帯用容器の取出口の開閉を極めてスピーディに行える。
【００１０】
また、一方の唇片に設けた複数の凸部同士の間は間隔が開けられているので、取出口を開くにあたり、一方の唇片に複数の凸部を一方の唇片に設けたことが妨げにならない。
【００１１】
さらに、取出口が開いた状態で携帯用容器を利用者の掌に取出口を傾ければ、取出口から内容物が流れ出る。このとき必要以上に内容物が出てしまっても取出口を利用者の掌から離さない状態にして、そのまま携帯用容器と掌とを、その掌が上になるように傾ければ、掌にあった内容物は取出口から携帯用容器の内部に流れ込む。よって、取出口の大きさをこのような操作に便利なように適宜の大きさに設定してさえおけば、極めて簡単に必要な量だけの内容物を携帯用容器から最終的に取り出せる。
【００１２】
そして、軟合成樹脂には、紫外線吸収効果の高い物質である酸化アルミニュウム被覆酸化チタン・ベンガラ焼結物を配合するようになっているので、内容物への紫外線による悪影響を防止できる。かつ、化学合成物質系の紫外線カット剤でないので、軟合成樹脂から溶出することがなく、内容物への付着の虞れもない。
【００１３】
【発明の実施の形態】
以下、本発明の実施の形態を添付した図面に基づいて説明する。
〈全体構成（図１参照）〉
携帯用容器１は、その全体形状が扁平でほぼ直方体形状を呈し、その四縁からはフランジが張り出している。携帯用容器１は、外観がほぼ同一形状をした一対の透明プラスッチック体３，５を超音波溶着によって一体に組み付けてなるものである。そして、この携帯用容器１に錠剤、顆粒、粉体等の内容物を入れるようになっており、必要に応じて内容物を自由に取り出せる。そのため、携帯用容器１の一縁は、溶着されておらず、必要に応じて開閉する取出口７となっている。
【００１４】
透明プラスッチック体３，５は、共に人の力によって十分に折り曲げができる軟合成樹脂であり、この軟合成樹脂には紫外線吸収効果の高い紫外線カット剤である酸化アルミニュウム被覆酸化チタン・ベンガラ焼結物を配合してある。
〈透明プラスチック体３，５（図１，２，４，６，７，９参照）〉
前記のように、一対の透明プラスチック体３，５は、ほぼ同一形状であるが、取出口７を構成する部位と溶着に必要な部位において若干異なる。詳しく述べる。
【００１５】
一対の透明プラスチック体３，５は、そのいずれにおいても外観形状がよく似ており、四方に張り出すフランジを有する矩形な平鍋形状をしている。これら透明プラスチック体３，５の四縁のうち前記取出口７を構成する長手方向一端側の一縁に形成したフランジ９，９’を除き、他のフランジ１３，１５および１７ならびに１３’，１５’および１７’は同じ幅寸法であって、前記取出口７に係るフランジよりも幅狭である。
【００１６】
そして、一方の透明プラスチック体３の前記取出口７に係るフランジ９のうち透明プラスチック体５のフランジ９’との接合面にあたる対向面９ａには、凹部１１を形成してあり、透明プラスチック体３の他のフランジ１３，１５および１７のうち透明プラスチック体５のフランジ１３’，１５’および１７’との接合面にあたる対向面１３ａ，１５ａおよび１７ａには、溶着にあたって融解する溶着代としての溶着条２１を形成してある。溶着条２１の形成範囲は、フランジ１３の一端１３ｂからフランジ１５を経由してフランジ１７の一端１７ｂまでの全範囲に亘っている。また、溶着条２１の両端は、溶着条２１の延びる方向に対して直交する部位２１ａを有している。よって、溶着条２１の両端は、それぞれがあたかもＴ字形の如き形をしている。このようにすることで、溶着条２１を溶着したときの溶着面積が広がるので、それだけ溶着強度が高まる。このようにしたのは、取出口７の開閉にともなって繰り返し生じる応力に十分耐え得るようにするためである。
【００１７】
なお、前記のように、溶着条２１の形成方向をフランジ１３の一端１３ｂからフランジ１７の一端１７ｂまでと述べることで、フランジ１３の一端１３ｂを溶着条２１の始端とし、フランジ１７の一端１７ｂを溶着条２１の終端と取れるような記載としたが、フランジ１７の一端１７ｂを溶着条２１の始端とし、フランジ１３の一端１３ｂを終端としても何等構わない。便宜上、そのように述べたに過ぎない。
【００１８】
そして、他方の透明プラスチック体５の前記取出口７に係り、かつ透明プラスチック体３のフランジ９に対応するフランジ９’には、前記凹部１１に対応しこの凹部１１と嵌合する複数の凸部２３，２３，…を形成してある。凸部２３，２３，…もフランジ９’の長手方向にフランジ９’全体の約三分の二の範囲に亘って形成してある。
【００１９】
透明プラスチック体３のフランジ１３，１５および１７にそれぞれ対応する、透明プラスチック体５の他のフランジ１３’，１５’および１７’には、何も形成してない。
〈透明プラスチック体３の凹部１１（図１，２，３，５，８参照）〉
透明プラスチック体３の凹部１１は、フランジ９全体の約三分の二の長さを有する長細い溝形状であり、フランジ９の幅方向中央に位置する。また、凹部１１の上部長縁２５の先端には、その長手方向に延びる横断面で半円形をした突起２７を形成してある。よって、上部長縁２５のうち突起２７のない部分は突起２７に比して相対的に凹んだ形態の凹条２８となっている。また、凹部１１の下部長縁２９は、斜面２９となっている。なお、ここでいう上下とは、図４に正対した場合の上下方向における上、下の意味である。
〈透明プラスチック体５の凸部２３（図１，３，５，６，８参照）〉
透明プラスチック体５の凸部２３，２３，…は、透明プラスチック体３の凹部１１と嵌合するものであり、各凸部２３は、相互に他の凸部２３との間にある程度の隙間３０を開けて形成してある。そして、凸部２３の全体形状は、截頭四角錐の一側面上部に平行な半円柱３１を接合したごとき形状をしている。この半円柱３１は、凸部２３を凹部１１に嵌め込んだときに凹部１１の凹条２８に嵌まり込む。また、凸部２３のうち半円柱３１形成面と対向する面３３は、凹部１１の斜面２９と対向する。なお、この実施の形態では、凸部２３を４つ形成してある。また、隙間３０は３つあり、その形状は、凸部２３に対して凸部２３を倒立させたごとき截頭四角錐形状をした隙間であるが、凸部２３よりも小さい。
〈透明プラスチック体３および透明プラスチック体５の組み付け（図１，６，１０参照）〉
このような透明プラスチック体３および透明プラスチック体５を構成部材とする携帯用容器１を一体にするには、透明プラスチック体３と透明プラスチック体５とを重ね合わせる。このとき溶着条２１はフランジ１３，１５および１７ならびにフランジ１３’，１５’および１７’に挟まれた状態にある。そして、超音波溶着装置によって溶着条２１を融解すれば前記対向するフランジ同士が一体化する。
【００２０】
一方、透明プラスチック体３のフランジ９と透明プラスチック体５のフランジ９’とは、溶着しない。よって、フランジ９とフランジ９’とを開くことができるとともに、フランジ９およびフランジ９’にそれぞれ設けてあった凹部１１および凸部２３，２３，…を嵌合することで、フランジ９およびフランジ９’を閉じることができる。よって、透明プラスチック体３と透明プラスチック体５とを接合した場合のフランジ９およびフランジ９’に相当する部分が携帯用容器１の開閉自在な取出口７となる。また、取出口７をこのようにすることでフランジ９およびフランジ９’が、あたかも一対の唇片からなる唇部を形成するようになり、よってこの唇状の取出口７から錠剤、顆粒、粉体等の内容物を収容し、かつ取り出せる携帯用容器１が出来上がる。
【００２１】
また、フランジ９およびフランジ９’同士の境界部分であって取出口７の幅方向両端に位置する部分を符号３２で示すとともに、この部分は、人の口角に似ていることから口角部ということとする。口角部３２，３２の各々が、相互に他の口角部に近づくように外力を加えると、図１０のように取出口７が開き、その一方で、前記外力を解除すると、口角部３２，３２の各々が相互に他の口角部から離れて取出口７を図１のように自然に閉じるようになる。
【００２２】
また、携帯用容器１の材質である軟合成樹脂は、人の力で取出口７が簡単に開閉できる程度の弾性を有している。
〈実施の形態の作用効果〉
本実施の形態に係る携帯用容器１では、携帯用容器１の取出口７は、携帯用容器１の外周縁の一縁に一対の唇片からなる人の唇のごとき形態のフランジ９とフランジ９’とを含み、前記携帯用容器１の材質は軟合成樹脂であるので、取出口７の幅方向内向きに携帯用容器１に人による外力を加えると、フランジ９とフランジ９’との境界部分であって取出口７の幅方向両端に位置する口角部３２，３２の各々が、相互に他の口角部に近づいて行くため取出口７を開く（図１０参照）。その一方で、前記外力を解除すると、軟合成樹脂の持つ弾性が作用して、前記口角部３２，３２の各々が、相互に他の口角部から離れて取出口３２を自然に閉じる（図１参照）。よって、携帯用容器１の取出口７の開閉を極めてスピーディに行える。
【００２３】
また、透明プラスチック体５のフランジ９に設けた複数の凸部２３，２３…同士の間は隙間３０があるので、取出口７を開くにあたり、フランジ９を曲げるのに前記複数の凸部２３，２３…をフランジ９に設けたことが妨げにならない。
【００２４】
さらに、取出口７が開いた状態で携帯用容器１を利用者の掌に取出口を傾ければ、取出口７から内容物が流れ出る。このとき必要以上に内容物が出てしまっても取出口７を利用者の掌から離さない状態にして、そのまま携帯用容器１と掌とを掌が上になるように傾ければ掌にあった内容物が取出口７から携帯用容器１の内部に流れ込む。よって、取出口７の大きさをこのような操作に便利なように適宜の大きさに設定してさえおけば、極めて簡単に必要な量だけの内容物を携帯用容器１から最終的に取り出せる。
【００２５】
そして、軟合成樹脂には、紫外線吸収効果の高い物質である酸化アルミニュウム被覆酸化チタン・ベンガラ焼結物を配合するようになっているので、内容物への紫外線による悪影響を防止することができる。
【００２６】
なお、この実施の形態では、透明プラスチック体３，５の両方を透明としたが、一方のみを透明とし、他方を不透明としてもよい。
【００２７】
【発明の効果】
以上説明したように、本発明の携帯用容器によれば、これに用いる材質が、軟合成樹脂からなるとともに、携帯用容器の取出口は、前記携帯用容器の外周縁の一縁に一対の唇片からなる唇部を形成してなり、前記軟合成樹脂は、前記取出口の幅方向内向きに外力を加えると前記一対の唇片同士の境界部分であって前記取出口の幅方向両端に位置する口角部の各々が相互に他の口角部に近づいて前記取出口を開くとともに、その一方で、前記外力を解除すると前記口角部の各々が相互に他の口角部から離れて前記取出口を自然に閉じる程の弾性を有しているので、取出口の幅方向内向きに外力を加えるだけで唇部を構成する一対の唇片同士が相互に他の唇片から離れ、これによって取出口を開く。また、取出口を開くに当たって加えていた外力を解除するだけで唇部を構成する一対の唇片同士が相互に他の唇片に近づいて、その結果、取出口を閉じる。よって、携帯用容器の取出口の開閉を極めてスピーディに行える。
【００２８】
また、一方の唇片に設けた複数の凸部同士の間は間隔が開けられているので、取出口を開くにあたり、一方の唇片に複数の凸部を一方の唇片に設けたことが妨げにならない。
【００２９】
さらに、取出口が開いた状態で携帯用容器を利用者の掌に取出口を傾ければ、取出口から内容物が流れ出る。このとき必要以上に内容物が出てしまっても取出口を利用者の掌から離さない状態にして、そのまま携帯用容器と掌とを掌が上になるようにして傾ければ掌にあった内容物が取出口から携帯用容器の内部に流れ込む。よって、取出口の大きさをこのような操作に便利なように適宜の大きさに設定してさえおけば、極めて簡単に必要な量だけの内容物を携帯用容器から最終的に取り出せる。
【００３０】
そして、軟合成樹脂には、紫外線吸収効果の高い物質である酸化アルミニュウム被覆酸化チタン・ベンガラ焼結物を配合するようになっているので、内容物への紫外線による悪影響を防止することができる。かつ、化学合成物質系の紫外線カット剤でないので、軟合成樹脂から溶出することがなく、内容物への付着の虞れもない。
【図面の簡単な説明】
【図１】本発明の実施の形態に係る携帯用容器の全体斜視図
【図２】一方の透明プラスチック体の全体斜視図
【図３】他方の透明プラスチック体の全体斜視図
【図４】一方の透明プラスチック体の平面図
【図５】他方の透明プラスチック体の平面図
【図６】図１のＶＩ−ＶＩ線を含む仮想平面で切断し矢印方向に見た断面図
【図７】図２のＶＩＩ−ＶＩＩ線を含む仮想平面で切断し矢印方向に見た断面図
【図８】図３のＶＩＩＩ−ＶＩＩＩ線を含む仮想平面で切断し矢印方向に見た断面図
【図９】図４の領域ＩＸ部分の拡大図
【図１０】本発明の実施の形態に係る携帯用容器の取出口を利用者が開いた状態を示す斜視図
【符号の説明】
１      携帯用容器
３      透明プラスッチック体
５      透明プラスチック体
７      取出口
９      透明プラスチック体３のフランジ（他方の唇片）
９’    透明プラスチック体５のフランジ（一方の唇片）
９ａ    フランジ９の対向面
１１    凹部
１３    透明プラスチック体３のフランジ
１３ａ  フランジ１３の対向面
１３ｂ  フランジ１３の一端
１３’  透明プラスチック体５のフランジ
１５    透明プラスチック体３のフランジ
１５ａ  フランジ１５の対向面
１５’  透明プラスチック体５のフランジ
１７    透明プラスチック体３のフランジ
１７’  透明プラスチック体５のフランジ
１７ａ  フランジ１７の対向面
１７ｂ  フランジ１７の一端
２１    溶着条
２１ａ  溶着条２１の両端にある部位
２３    凸部
２５    凹部１１の上部長縁
２７    半円形をした突起
２８    凹条
２９    凹部１１の下部長縁
３０    凸部２３同士の間の隙間
３１    半円柱
３２    口角部
３３    凸部２３の斜面
【図１】
0003589855.tif 000002
【図２】
0003589855.tif 000003
【図３】
0003589855.tif 000004
【図４】
0003589855.tif 000005
【図５】
0003589855.tif 000006
【図６】
0003589855.tif 000007
【図７】
0003589855.tif 000008
【図８】
0003589855.tif 000009
【図９】
0003589855.tif 000010
【図１０】
0003589855.tif 000011